(57)【要約】【課題】１次記憶装置の記憶量を従来より増やすことなく原稿読み取りの生産性を高めた画像読取装置を提供する。【解決手段】原稿束の読み込み開始前に、原稿束の画像サイズに応じた１次記憶手段の記憶領域を取得して画像の読み込みを開始し、最終原稿読み取り終了後に記憶領域を開放することにより、１次記憶装置の記憶容量を従来より増やすことなく原稿読み取りの生産性を上げることができる。【選択図】        図１
2004241856.tif 000002
【特許請求の範囲】
【請求項１】
原稿台上に原稿があるか否かを検出する原稿有無検出手段と、
前記原稿台上に置かれた原稿を搬送経路を経由して読み取り位置に搬送する搬送手段と、
前記搬送手段により読み取り位置に搬送された原稿を読み取る画像読み取り手段と、
前記画像読み取り手段により読み取られた画像データを記憶する１次記憶手段と、を有し、
原稿束の読み込み開始前に、前記原稿束の画像サイズに応じた前記１次記憶手段の記憶領域を取得して画像の読み込みを開始し、最終原稿読み取り終了後に前記記憶領域を開放することを特徴とする画像読取装置。
【請求項２】
原稿台上に原稿があるか否かを検出する原稿有無検出手段と、
前記原稿台上に置かれた原稿を搬送経路を経由して読み取り位置に搬送する搬送手段と、
前記搬送手段により読み取り位置に搬送された原稿を読み取る画像読み取り手段と、
前記画像読み取り手段により読み取られた画像データを記憶する１次記憶手段と、を有し、
前記搬送経路の途中に設けられた停止判定位置に前記搬送手段により原稿が搬送されるまでに、該原稿から読み取った画像データを記憶する前記１次記憶手段の記憶領域を確保することができた場合には、前記原稿を前記停止判定位置に停止させることなく前記読み取り位置に搬送することを特徴とする画像読取装置。
【請求項３】
前記搬送経路の途中に設けられた前記停止判定位置に前記搬送手段により原稿が搬送されるまでに、該原稿から読み取った画像データを記憶する前記１次記憶手段の記憶領域を確保することができなかった場合には、前記原稿を前記停止判定位置に停止させ、前記１次記憶手段の記憶領域の確保後に前記原稿を前記読み取り位置に搬送することを特徴とする請求項２記載の画像読取装置。
【請求項４】
原稿から読み取った画像を印刷する印刷用紙を印刷位置に搬送する印刷用紙搬送手段の駆動部と、前記搬送手段の駆動部とを分離したことを特徴とする請求項２または３記載の画像読取装置。
【請求項５】
請求項１から４の何れか１項に記載の画像読取装置を有することを特徴とする画像形成装置。
【発明の詳細な説明】
【０００１】
【発明の属する技術分野】
本発明は、自動原稿送り装置を備えた画像読取装置に関する。
【０００２】
【従来の技術】
従来、原稿の読み取りの生産性を上げる手段として搬送線速をはやめる方法が取られてきたが、搬送品質を維持するために装置の大型化やコストアップを余儀なくされていた。そこで、搬送線速を上げずに原稿と原稿の紙間を短くすることで生産性を上げる方式も取られるようになってきた。
【０００３】
原稿と原稿の紙間を短くすると、その間で搬送を一旦停止することができないため、画像データを送る先である記憶装置が原稿台上の全原稿分の画像データを受け取れるだけの容量が必要になってくる。２次記憶装置は比較的安価で大量の画像データを記憶することができるが、最初に画像を転送する１次記憶装置の容量を増やすとコストが増大する。
【０００４】
【特許文献１】
特開２００１−０１６４１６号公報
【特許文献２】
特開平９−２３３２６９号公報
【特許文献３】
特開平９−２８４５１４号公報
【特許文献４】
特開平１０−３１３３８１号公報
【特許文献５】
特開平１０−３３６３７８号公報
【０００５】
【発明が解決しようとする課題】
上述したように原稿と原稿の紙間を短くすると、その間で搬送を一旦停止することができないため、画像データを送る先である記憶装置が原稿台上の全原稿分の画像データを受け取れるだけの容量が必要になるという問題が発生する。また、１次記憶装置の容量を増やすとコストが増大するという課題がある。
【０００６】
本発明は上記事情に鑑みてなされたものであり、１次記憶装置の記憶量を従来より増やすことなく原稿読み取りの生産性を高めた画像読取装置、画像形成装置を提供することを目的とする。
【０００７】
【課題を解決するための手段】
係る目的を達成するために請求項１記載の発明は、原稿台上に原稿があるか否かを検出する原稿有無検出手段と、原稿台上に置かれた原稿を搬送経路を経由して読み取り位置に搬送する搬送手段と、搬送手段により読み取り位置に搬送された原稿を読み取る画像読み取り手段と、画像読み取り手段により読み取られた画像データを記憶する１次記憶手段と、を有し、原稿束の読み込み開始前に、原稿束の画像サイズに応じた１次記憶手段の記憶領域を取得して画像の読み込みを開始し、最終原稿読み取り終了後に記憶領域を開放することを特徴とする。
【０００８】
請求項２記載の発明は、原稿台上に原稿があるか否かを検出する原稿有無検出手段と、原稿台上に置かれた原稿を搬送経路を経由して読み取り位置に搬送する搬送手段と、搬送手段により読み取り位置に搬送された原稿を読み取る画像読み取り手段と、画像読み取り手段により読み取られた画像データを記憶する１次記憶手段と、を有し、搬送経路の途中に設けられた停止判定位置に搬送手段により原稿が搬送されるまでに、該原稿から読み取った画像データを記憶する１次記憶手段の記憶領域を確保することができた場合には、原稿を停止判定位置に停止させることなく読み取り位置に搬送することを特徴とする。
【０００９】
請求項３記載記載の発明は、請求項２記載の発明において、搬送経路の途中に設けられた停止判定位置に搬送手段により原稿が搬送されるまでに、該原稿から読み取った画像データを記憶する１次記憶手段の記憶領域を確保することができなかった場合には、原稿を停止判定位置に停止させ、１次記憶手段の記憶領域の確保後に原稿を読み取り位置に搬送することを特徴とする。
【００１０】
請求項４記載の発明は、請求項２または３記載の発明において、原稿から読み取った画像を印刷する印刷用紙を印刷位置に搬送する印刷用紙搬送手段の駆動部と、搬送手段の駆動部とを分離したことを特徴とする。
【００１１】
請求項５記載の発明は、請求項１から４の何れか１項に記載の発明の画像読取装置を有することを特徴とする。
【００１２】
【発明の実施の形態】
次に、添付図面を参照しながら本発明の画像読取装置、画像形成装置に係る実施の形態を詳細に説明する。図１〜図２７を参照すると本発明の画像読取装置、画像形成装置に係る実施の形態が示されている。
【００１３】
まず、図１を参照しながら本実施形態の構成について説明する。
自動原稿送り装置（以後ＡＤＦ）１にある、原稿台２に原稿の画像面を上にして置かれた原稿束は、操作部３０上のスタートキー３４が押下されると、一番上の原稿から給送され、レジストセンサ５まで原稿が到達すると停止する。レジストセンサ５位置まで到達した原稿はさらに再スタートしてＡＤＦ原稿読み取り位置１０において原稿の読み取りを行う。片面読み取りの場合はそのまま原稿排紙トレイ７に排出され、両面読み取りの場合は原稿分岐爪６により原稿排紙トレイ７の上で反転し再給紙することで裏面の読み取りを行う。
【００１４】
第１トレイ１１、第２トレイ１２、第３トレイ１３に積載された転写紙は、各々第１給紙装置１４、第２給紙装置１５、第３給紙装置１６によって給紙され、縦搬送ユニット１７によって感光体１８に当接する位置まで搬送される。読み取りユニット５０にて読み込まれた画像データは、書き込みユニット５７からのレーザーによって感光体１８に書き込まれ、現像ユニット２７を通過することによってトナー像が形成される。そして、転写紙は感光体１８の回転と等速で搬送ベルト１９によって搬送されながら、感光体１８上のトナー像が転写される。その後、定着ユニット２０にて画像を定着させ、排紙トレイ２１に排出される。
【００１５】
転写紙の両面に画像を作像する場合は、各給紙トレイ１１〜１３から給紙され作像された転写紙を排紙トレイ２１側に導かないで、経路切り替えの為の分岐爪１１１によって一旦両面搬送パス１１２に搬送する。その後、両面搬送パス１１２の転写紙は再び感光体１８に作像されたトナー画像を転写するために、再給紙され、トナー像を転写すると排紙トレイ２１に導かれる。この様に転写紙の両面に画像を作成する場合に両面搬送パス１１２は使用される。
【００１６】
図２に、操作部３０の構成を示す。操作部３０には、液晶タッチパネル３１、テンキー３２、クリア／ストップキー３３、プリントキー３４、モードクリアキー３５があり、液晶タッチパネル３１には、機能キー３７、部数、及び画像形成装置の状態を示すメッセージなどが表示される。
【００１７】
図３に操作部３０の液晶タッチパネル３１の表示の一例を示す。オペレータが液晶タッチパネル３１に表示されたキーにタッチすることで、選択された機能を示すキーが黒く反転する。また、機能の詳細を指定しなければならない場合（例えば変倍であれは変倍値等）は、キーにタッチすることで、詳細機能の設定画面が表示される。このように、液晶タッチパネルは、ドット表示器を使用している為、その時の最適な表示をグラフィカルに行うことが可能である。
【００１８】
図３において左上は、「コピーできます」、「お待ちください」等のメッセージを表示するメッセージエリア、その右は、セットした枚数を表示するコピー枚数表示部、その下の画像濃度を自動的に調整する自動濃度キー、転写紙を自動的に選択する自動用紙選択キー、コピーを一部ずつページ順にそろえる処理を指定するソートキー、コピーをページ毎に仕分けする処理を指定するスタックキー、倍率を等倍にセットする等倍キー、拡大／縮小倍率をセットする変倍キー、両面モードを設定する両面キー、とじ代モード等を設定する消去／移動キーである。選択されているモードはキーが網掛け表示されている。
【００１９】
図１を参照しながら画像読み取り手段、及び画像を記録面上に潜像形成するまでの動作を説明する。なお、潜像とは画像を光情報に変換し、感光体面上に照射することにより生じる電位分布である。
【００２０】
読み取りユニット５０は、原稿を載置するコンタクトガラス８と光学走査系で構成されており、光学走査系には、露光ランプ５１、第１ミラー５２、レンズ５３、ＣＣＤイメージセンサ５４等々で構成されている。露光ランプ５１及び第１ミラー５２は図示しない第１キャリッジ上に固定され、第２ミラー５５及び第３ミラー５６は図示しない第１キャリッジ上に固定されている。
【００２１】
原稿像を読み取るときには、光路長が変わらないように、第１キャリッジと第２キャリッジとが２対１の相対速度で機械的に走査される。この光学走査系は、図示しないスキャナ駆動モータにて駆動される。原稿画像は、ＣＣＤイメージセンサ５４によって読み取られ、電気信号に変換されて処理される。
【００２２】
書き込みユニット５７はレーザ出力ユニット５８、結像レンズ５９、ミラー６０で構成され、レーザ出力ユニット５８の内部には、レーザ光源であるレーザダイオード及びモータによって高速で定速回転する回転多面鏡（ポリゴンミラー）が備わっている。
【００２３】
レーザ出力ユニット５８より照射されるレーザ光は、定速回転するポリゴンミラーで偏光され、結像レンズ５９を通り、ミラー６０で折り返され、感光体面上に集光結像する。
【００２４】
偏光されたレーザ光は感光体が回転する方向と直行する方向（主走査方向）に露光走査され、後述する画像処理部のセレクタ６４より出力された画像信号のライン単位の記録を行う。感光体の回転速度と記録密度に対応した所定の周期で主走査を繰り返すことによって、感光体面上に画像（静電潜像）が形成される。
【００２５】
上述のように、書き込みユニット５７から出力されるレーザ光が、画像作像系の感光体１５に照射される。図示しないが感光体１５の一端近傍のレーザビームを照射される位置に、主走査同期信号を発生するビームセンサが配置されている。この主走査同期信号をもとに主走査方向の画像記録開始タイミングの制御、および画像信号の入出力を行うための制御信号の生成を行う。
【００２６】
次に、本実施形態における画像処理部（画像読みとり部と画像書き込み部）の構成について、図４を用いて説明する。
露光ランプ５１から照射された光は原稿面を照射し、原稿面からの反射光を、ＣＣＤイメージセンサ５４にて結像レンズ（図示せず）により結像、受光して光電変換し、Ａ／Ｄコンバータ６１にてデジタル信号に変換する。デジタル信号に変換された画像信号は、シェーディング補正６２がなされた後、画像処理部６３にてＭＴＦ補正、γ補正等がなされる。セレクタ６４では、画像信号の送り先を、変倍部７１または、画像メモリコントローラ６５への切り替えが行われる。変倍部７１を経由した画像信号は変倍率に合せて拡大縮小され、書き込みユニット５７に送られる。画像メモリコントローラ６５とセレクタ６４間は、双方向に画像信号を入出力可能な構成となっている。メモリコントローラ６５には、読み取り部５０から入力される画像データ以外にもネットワークコントローラ８０等により外部から供給される画像データ（例えばパーソナルコンピュータ等のデータ処理装置から出力されるデータ）も処理できるよう、複数のデータの入出力の選択を行う機能を有している。
【００２７】
また、画像処理部は、画像メモリコントローラ６５等への設定や、読み取り部５０、書き込み部５７の制御を行うＣＰＵ６８、及びそのプログラムやデータを格納するＲＯＭ６９、ＲＡＭ７０を備えている。ＣＰＵ６８は、メモリコントローラ６５を介して、画像メモリ６６のデータの書き込み、読み出しが行える。
【００２８】
図５を参照しながら図４におけるメモリコントローラと、画像メモリの詳細を説明する。
メモリーコントローラ６５は、入力データセレクタ１０１、画像合成１０２、１次圧縮／伸長１０３、出力データセレクタ１０４、２次圧縮／伸長１０５のブロックを有している。画像メモリ６６は、１次および２次記憶装置（１０６、１０７）からなる。１次記憶装置１０６は、入力画像データの転送速度に略同期してメモリへのデータ書き込み、または画像出力時のメモリからのデータ読み出しが高速に行えるように、例えばＤＲＡＭ等の高速アクセスが可能なメモリを使用する。また、１次記憶装置１０６は、処理を行う画像データの大きさにより複数のエリアに分割して画像データの入出力を同時に実行可能な構成（メモリーコントローラーとのインターフェース部）をとっている。各分割したエリアに画像データの入力、出力をそれぞれ並列に実行可能にするためにメモリコントローラとのインターフェースにリード用とライト用の二組のアドレス・データ線で接続されている。これによりエリア１に画像を入力（ライト）する間にエリア２より画像を出力（リード）するという動作が可能になる。
【００２９】
２次記憶装置１０７は、入力された画像の合成、ソーティングを行うためにデータを保存しておく大容量のメモリである。１次、２次記憶装置とも、高速アクセス可能な素子を使用すれば、１次、２次の区別なくデータの処理が行え、制御も比較的簡単になるが、ＤＲＡＭ等の素子は高価なため、２次記憶装置にはアクセス速度はそれほど速くないが、安価で、大容量の記録媒体を使用し、入出力データの処理を一次記憶装置を介して行う構成になっている。
【００３０】
上述のような画像メモリの構成を採用することにより、大量の画像データの入出力、保存、加工等の処理が可能な画像形成装置を安価、かつ比較的簡単な構成で実現することができる。
【００３１】
次に、メモリーコントローラ６５の動作の概略を説明する。
＜１＞画像入力（画像メモリへの保存）
入力データセレクタ１０１は複数のデータの内から、画像メモリ（１次記憶装置１０６）への書き込みを行う画像データの選択を行う。入力データセレクタ１０１によって選択された画像データは、画像合成１０２に供給され、既に画像メモリに保存されているデータとの合成を行う。画像合成１０２によって処理された画像データは、１次圧縮／伸長１０３によりデータを圧縮し、圧縮後のデータを１次記憶装置１０６に書き込む。１次記憶装置１０６に書き込まれたデータは、必要に応じて２次圧縮／伸長１０５で更に圧縮を行った後に２次記憶装置１０７に保存される。
【００３２】
＜２＞画像出力（画像メモリからの読み出し）
画像出力時は、１次記憶装置１０６に記憶されている画像データの読み出しを行う。出力対象となる画像が１次記憶装置１０６に格納されている場合には、１次圧縮／伸長１０３で１次記憶装置１０６の画像データの伸長を行い、伸長後のデータ、もしくは伸長後のデータと入力データとの画像合成を行った後のデータを出力データセレクタ１０４で選択し、出力する。画像合成１０２は、１次記憶装置１０６のデータと、入力データとの合成（画像データの位相調整機能を有する）、合成後のデータの出力先の選択（画像出力、１次記憶装置１０６へのライトバック、両方の出力先への同時出力も可能）等の処理を行う。出力対象となる画像が１次記憶装置１０６に格納されていない場合には、２次記憶装置１０７に格納されている出力対象画像データを２次圧縮／伸長１０５で伸長を行い、伸長後のデータを１次記憶装置１０６に書き込んでから、以下、上述の画像出力動作を行う。
【００３３】
次に、図６〜図１３を参照しながら自動原稿送り装置内の原稿給紙タイミングについて説明する。
まず、図６に示された状態から原稿の給紙を開始する。次に、図７に示されるように引き出された原稿▲１▼は、レジストセンサ位置（図７のＢ点）に到達する。原稿の読み取り前に原稿を停止させる場合には、ここから搬送速度を減速させる。ただし、レジストセンサの取り付け位置がさらに上流にあれば、レジストセンサ到達後所定時間を経過してから減速を開始する。
【００３４】
次に、図８に示されるＣ点で原稿が停止する。原稿の読み取りを開始する場合には、この位置から加速を開始する。
【００３５】
次に、図９に示されるＤ点で原稿先端が読み取り位置に到達する。このＤ点で原稿は定常速度に到達している必要がある。基本的にここから原稿の読み取りが始まるが、原稿の一部分のみを読み取る場合にはさらに原稿を送った後に読み取りを開始する。
【００３６】
次に、図１０に示されるように原稿後端が搬送センサ位置（図１０に示されたＦ点）に到達する。この時点で次原稿ありなしを原稿有無センサで判定する。原稿有無センサは原稿台上に取り付けられており、搬送中の原稿後端が原稿台を抜けないと次の原稿が有るか無いかを判定できない。図１０の場合、原稿▲１▼の後端が搬送センサを抜けた時に原稿有無センサが有りを示すので次原稿があることがわかる。一方、図１１の場合、原稿▲１▼の後端が搬送センサを抜けた時に原稿有無センサが無しを示すので次原稿が無いことがわかる。
【００３７】
次に、図１２に示されるように原稿後端が読み取り位置（図１１に示されたＥ点）を通過することで読み取りが終了する。ただし、原稿の一部分だけを読み取る場合には、このポイントよりも前に読み取りが終了する。図１２は、原稿▲１▼の読み取り終了時に、次原稿（原稿▲２▼）がレジストセンサ位置に到達している場合で、この後原稿▲２▼を定常速度のまま続けて読み取ることも、減速して停止することもできる。図１４は、原稿▲１▼の読み取り終了時に次原稿（原稿▲２▼）がレジストセンサ位置を超えている場合で、この後原稿▲２▼を定常速度のまま続けて読み取りはできるが、減速して停止すると再度加速して定常速度に到達した時に原稿先端が読み取り位置を超えてしまうことになる。原稿▲２▼の位置は、給紙開始タイミングを変更することでも変えることができる。
【００３８】
次に、図１４から図１８を参照しながら原稿▲１▼〜▲３▼の連続読み取り時の原稿位置と原稿搬送タイミングを説明する。
まず、図１４を参照しながら読み取り前に毎回原稿を一旦停止させる従来の動作を説明する。なお、以下で説明するＡからＦの記号は、図６〜図１３に示された原稿搬送路での位置を示している。
図１４に示されたＴ１で原稿▲１▼の給紙を開始する。次に、Ｔ２で原稿▲１▼の先端がＢ点に到達するとここから減速を開始する。Ｔ３で原稿▲１▼の先端がＣ点まで来ると一旦停止する。ここから加速を開始し、原稿▲１▼はＴ４でＤ点に到達し読み取りを開始する。
【００３９】
また、Ｔ４とＴ５の間で原稿▲１▼が搬送センサ位置Ｆ点を通過すると、原稿有り無しセンサで次の原稿▲２▼があることを検出する。原稿▲２▼を検出後、所定時間経過後に原稿▲２▼の給紙を開始する。Ｔ５で原稿▲１▼の後端がＥ点に到達することで原稿▲１▼の読み取りが終了し、同時にＢ点に先端が到達した原稿▲２▼の減速を開始する。Ｔ６で先端がＣ点に達すると原稿▲２▼を一旦停止させる。ここから加速を開始し、原稿▲２▼はＴ７で先端がＤ点に到達すると読み取りを開始する。
【００４０】
また、Ｔ７とＴ８の間で、原稿▲２▼が搬送センサ位置Ｆ点を通過すると、原稿有り無しセンサで次の原稿▲３▼があることを検出する。原稿▲３▼を検出後、所定時間経過後に原稿▲３▼の給紙を開始する。Ｔ８で原稿▲２▼の後端がＥ点に到達することで原稿▲２▼の読み取りが終了し、同時にＢ点に先端が到達した原稿▲３▼の減速を開始する。Ｔ９で先端がＣ点に達すると原稿▲３▼を一旦停止させる。ここから加速を開始し、原稿▲３▼はＴ１０で先端がＤ点に到達すると読み取りを開始する。
【００４１】
また、Ｔ１０とＴ１１の間で、原稿▲３▼が搬送センサ位置Ｆ点を通過すると、原稿有り無しセンサで次の原稿がないことを検出する。Ｔ１１で原稿▲３▼の後端がＥ点に到達することで原稿▲３▼の読み取りが終了し、Ｔ１２で原稿▲３▼の排紙が完了する。
【００４２】
次に、次原稿の給紙開始タイミングが図１４の場合と同じで、原稿を一度停止させずに連続的に読み取る場合の動作を図１５を参照しながら説明する。
図１５に示されたＴ１で原稿▲１▼の給紙を開始する。次に、Ｔ２で原稿▲１▼の先端がＢ点に到達するとここから減速を開始する。Ｔ３で原稿▲１▼の先端がＣ点まで来ると一旦停止する。ここから加速を開始し、原稿▲１▼はＴ４でＤ点に到達し読み取りを開始する。
【００４３】
また、Ｔ４とＴ５の間で原稿▲１▼が搬送センサ位置Ｆ点を通過すると、原稿有り無しセンサで次の原稿▲２▼があることを検出する。原稿▲２▼を検出後、所定時間経過後に原稿▲２▼の給紙を開始する。Ｔ５で原稿▲１▼の後端がＥ点に到達することで原稿▲１▼の読み取りが終了し、Ｔ６で原稿▲２▼の先端がＤ点に到達し、原稿▲２▼の読み取りを開始する。
【００４４】
また、Ｔ６とＴ７の間で、原稿▲２▼が搬送センサ位置Ｆ点を通過すると、原稿有り無しセンサで次の原稿▲３▼があることを検出する。原稿▲３▼を検出後、所定時間経過後に原稿▲３▼の給紙を開始する。Ｔ７で原稿▲２▼の後端がＥ点に到達することで原稿▲２▼の読み取りが終了し、Ｔ８で原稿▲３▼の先端がＤ点に到達し、原稿▲３▼の読み取りを開始する。
【００４５】
また、Ｔ８とＴ９の間で、原稿▲３▼が搬送センサ位置Ｆ点を通過すると、原稿有り無しセンサで次の原稿がないことを検出する。Ｔ９で原稿▲３▼の後端がＥ点に到達することで原稿▲３▼の読み取りを終了し、Ｔ１０で原稿▲３▼の排紙が完了する。
【００４６】
次に、次原稿有り無しを判定後、直ぐに給紙を開始して、停止させずに連続的に原稿を読み取る場合の動作を図１６を参照しながら説明する。
図１６に示されたＴ１で原稿▲１▼の給紙を開始する。次に、Ｔ２で原稿▲１▼の先端がＢ点に到達するとここから減速を開始する。Ｔ３で原稿▲１▼の先端がＣ点まで来ると一旦停止する。ここから加速を開始し、原稿▲１▼はＴ４でＤ点に到達し読み取りを開始する。
【００４７】
また、Ｔ４とＴ５の間で原稿▲１▼が搬送センサ位置Ｆ点を通過すると、原稿有り無しセンサで次の原稿▲２▼があることを検出する。原稿▲２▼を検出後、直ちに原稿▲２▼の給紙を開始する。Ｔ５で原稿▲１▼の後端がＥ点に到達することで原稿▲１▼の読み取りが終了し、Ｔ６で原稿▲２▼の先端がＤ点に到達し、原稿▲２▼の読み取りを開始する。
【００４８】
また、Ｔ６とＴ７の間で、原稿▲２▼が搬送センサ位置Ｆ点を通過すると、原稿有り無しセンサで次の原稿▲３▼があることを検出する。原稿▲３▼を検出後、直ちに原稿▲３▼の給紙を開始する。Ｔ７で原稿▲２▼の後端がＥ点に到達することで原稿▲２▼の読み取りが終了し、Ｔ８で原稿▲３▼の先端がＤ点に到達し、原稿▲３▼の読み取りを開始する。
【００４９】
また、Ｔ８とＴ９の間で、原稿▲３▼が搬送センサ位置Ｆ点を通過すると、原稿有り無しセンサで次の原稿がないことを検出する。Ｔ９で原稿▲３▼の後端がＥ点に到達することで原稿▲３▼の読み取りを終了し、Ｔ１０で原稿▲３▼の排紙が完了する。
【００５０】
また、原稿搬送のためのモータを給紙部と読取部の２系統備え、独立に搬送スピードを変えられるようにした場合の動作タイミングチャートを図１７、図１８に示す。図１７は、原稿▲２▼、原稿▲３▼とも停止させずに読み取りを行なった場合を示し、図１８は、原稿▲２▼を一旦停止させた場合を示している。
【００５１】
図１４から図１６で明らかなように、同一原稿搬送スピードであっても原稿を停止するより停止させない方が、また、給紙開始のタイミングを早める方がより生産性が向上する。ただし、単純に原稿給紙タイミングを早めただけでは停止ができない問題が発生するため、給紙部と読取部で搬送モータをそれぞれ独立に設けた方がよい。
【００５２】
次に、原稿の読み取り動作と、１次記憶装置（メモリ）の記憶領域（メモリ領域）の占有状態との関係を図１９〜図２３を参照しながら説明する。
１次記憶装置は、原稿の読み取りデータを格納し２次記憶装置に転送する場合と２次記憶装置からの画像データを１次記憶装置から画像形成装置に転送し転写紙に印字を行う場合の両方に使用される。また、コピーやプリンタ、スキャナといった複数機能を有するデジタル複合機では一般的に原稿読み取りも転写紙への印字もそれぞれ独立に行なうため、一次記憶装置の記憶領域を使用前に取得し、使用後開放するような制御を行っている。また小サイズの画像データを扱う場合は小さくメモリ領域を取得し、大きな画像データを扱う場合は大きなメモリ領域を取得するといった最適化も行っている。例では、１次記憶装置にＡ領域とＢ領域に同じサイズの領域を予め用意し、メモリ取得と開放の様子を図示した。
【００５３】
まず、従来の原稿を一旦停止しメモリ領域が取得できていれば搬送を再開し読み取りを行なう動作を図１９を参照しながら説明する。
原稿▲１▼は、Ａ領域もＢ領域も空いており、Ａ領域を取得して読み取りを行なう。原稿▲２▼は一旦停止するが、停止後Ａ領域が空いているのですぐに搬送を再開し読み取りを行なう。原稿▲３▼も原稿▲２▼と同様の動きとなる。
【００５４】
次に、従来の方式で転写紙の印字が行われる場合の原稿読み取りのメモリ領域取得のタイミングと原稿の動作を図２０を参照しながら説明する。
まず、原稿▲１▼はＡ領域もＢ領域も空いておりＡ領域を取得し読み取りを行う。その後、Ｂ領域を転写紙▲１▼が使用し、Ａ領域も転写紙▲２▼が使用するため、原稿▲２▼は１次記憶装置の空きを待ってＣ点で停止している。転写紙▲１▼がＢ領域を開放した時点で原稿▲２▼がＢ領域を取得できるので搬送を再開し読み取りを開始する。
【００５５】
このように従来は一般的に原稿を読み取り前に一旦停止し１次記憶装置などメモリ領域を確保できれば読み取りを開始するような方式をとっていた。
【００５６】
次に、本実施形態の第１の動作を図２１を参照しながら説明する。
原稿が原稿台にセットされ１枚目給紙開始で領域を確保し、読み取り専用に使用する。この場合、転写紙側でメモリ領域を取られてしまう心配が無いので２枚目以降の原稿も停止することなく読み取りを行うことができる。最終原稿読み取り後取得したメモリ領域を開放する。
【００５７】
次に、本実施形態の第２の動作を図２２を参照しながら説明する。
本実施形態は、図２２に示されるように次原稿の有無が確定した時点で次の原稿のためのメモリ領域を確保するもので、原稿がレジストセンサ（あるいは停止時に減速を開始する位置）に到達するまでにメモリ領域が取得できれば原稿を停止せずに読み取りを行う。
【００５８】
図２３に、原稿▲２▼のメモリ領域を取得しようとしたときにメモリ領域が他に占有されていて取得できなかった場合を示す。
この場合、原稿▲２▼がレジストセンサに到達した時点でメモリ領域を取得することができなかったので減速して一旦停止する。停止した時点でＡ領域を取得することができたのですぐに搬送を再開し、読み取りを行う。
【００５９】
本動作は、転写紙とのメモリが取り合いにならなければ、高速な読み取りが行え、転写紙とメモリを取り合った場合でも順番にメモリを使い回していけるため効率的でかつ原稿または転写紙のどちらかが止まってしまうという不自然さが無く、自然な出力結果を得られる。
【００６０】
次に、図２４を参照しながら原稿台の原稿束全体の読み取りを制御する手順を説明する。スタートボタンが押されると（ステップＳ１）、まず原稿の原稿サイズを取得する（ステップＳ２）。原稿サイズは自動原稿送り装置上のセンサで検出する。次に原稿サイズに応じたメモリ領域を１次記憶装置から取得する（ステップＳ３）。このとき転写紙側で使用されていると取得できないので取得できるまで待機する。メモリ領域が取得できると原稿の１枚目から読み取りを行う（ステップＳ４）（１枚原稿読み取り制御（図２５））。最終原稿まで読み取りが終わると（ステップＳ５／ＹＥＳ）、取得した１次記憶装置のメモリ領域を開放する（ステップＳ６）。
【００６１】
次に、図２５を参照しながら１枚の原稿の読み取り制御をする手順を説明する。
原稿が有無検出センサで原稿が有ると（ステップＳ１０）、給紙を開始する（ステップＳ１１）。１次記憶装置のメモリ領域はすでに取得されているのでそのまま読み取りを行う（ステップＳ１２）。読み取りが終了すると排紙して終了する（ステップＳ１３）。
【００６２】
次に、図２６を参照しながら原稿台の原稿束全体の読み取りを制御する手順を説明する。
スタートボタンが押されると（ステップＳ２０）、まず原稿の原稿サイズを取得する（ステップＳ２１）。原稿サイズは１枚原稿読み取り制御でサイズに応じたメモリ領域を１次記憶装置から取得するために使用される（ステップＳ２２）。
この後最終原稿まで原稿の読み取りを行う（１枚原稿読み取り制御（図２７））。最終原稿まで読み取りが終わると終了する（ステップＳ２３／ＹＥＳ）。
【００６３】
次に、図２７を参照しながら１枚の原稿の読み取り制御をする手順を説明する。
原稿が有無検出センサで原稿が有ると（ステップＳ３０）給紙を開始する（ステップＳ３１）。次に、原稿サイズに応じたメモリ領域を１次記憶装置から取得する（ステップＳ３２）。
【００６４】
取得ができない場合は（ステップＳ３２／ＮＯ）、レジストセンサに原稿が到達したかどうかチェックし（ステップＳ３６）、到達したら一旦搬送速度を減速し停止する（ステップＳ３７）。その状態でさらにメモリ領域取得まで待機する。また、メモリ領域が取得できた場合（ステップＳ３２／ＹＥＳ）、読み取りを行う（ステップＳ３３）。読み取りが終わると取得した１次記憶装置のメモリ領域を開放し（ステップＳ３４）、原稿を排紙して終了する（ステップＳ３５）。
【００６５】
なお、上述した実施形態は本発明の好適な実施の形態である。但し、これに限定されるものではなく、本発明の要旨を逸脱しない範囲内において種々変形実施可能である。
【００６６】
【発明の効果】
以上の説明より明らかなように本発明は、原稿束の読み込み開始前に、原稿束の画像サイズに応じた１次記憶手段の記憶領域を取得して画像の読み込みを開始し、最終原稿読み取り終了後に記憶領域を開放する、または、搬送経路の途中に設けられた停止判定位置に搬送手段により原稿が搬送されるまでに、原稿から読み取った画像データを記憶する１次記憶手段の記憶領域を確保することができた場合に、原稿を前記停止判定位置に停止させることなく読み取り位置に搬送することにより、１次記憶装置の記憶容量を従来より増やすことなく原稿読み取りの生産性を上げることができる。
【図面の簡単な説明】
【図１】本発明に係る実施形態の外観形状を示す図である。
【図２】操作部の外観形状を示す図である。
【図３】操作部の液晶タッチパネルの表示の一例を示す図である。
【図４】画像処理部（画像読み取り部と画像書き込み部）の構成を示す図である。
【図５】メモリコントローラと画像メモリの構成を示す図である。
【図６】自動原稿送り装置内での原稿の位置を表す図である。
【図７】自動原稿送り装置内での原稿の位置を表す図である。
【図８】自動原稿送り装置内での原稿の位置を表す図である。
【図９】自動原稿送り装置内での原稿の位置を表す図である。
【図１０】自動原稿送り装置内での原稿の位置を表す図である。
【図１１】自動原稿送り装置内での原稿の位置を表す図である。
【図１２】自動原稿送り装置内での原稿の位置を表す図である。
【図１３】自動原稿送り装置内での原稿の位置を表す図である。
【図１４】給紙タイミングを示すタイムチャートである。
【図１５】給紙タイミングを示すタイムチャートである。
【図１６】給紙タイミングを示すタイムチャートである。
【図１７】給紙タイミングを示すタイムチャートである。
【図１８】給紙タイミングを示すタイムチャートである。
【図１９】給紙タイミングを示すタイムチャートである。
【図２０】給紙タイミングを示すタイムチャートである。
【図２１】給紙タイミングを示すタイムチャートである。
【図２２】給紙タイミングを示すタイムチャートである。
【図２３】給紙タイミングを示すタイムチャートである。
【図２４】動作手順を示すフローチャートである。
【図２５】動作手順を示すフローチャートである。
【図２６】動作手順を示すフローチャートである。
【図２７】動作手順を示すフローチャートである。
【符号の説明】
５４、６４  ＣＣＤ
５７  書き込みユニット
６１  Ａ／Ｄコンバータ
６２  シェーディング補正部
６３  ＭＴＦγ補正部
６５  メモリコントローラ
６６  画像メモリ
６７  Ｉ／Ｏポート
６８  ＣＰＵ
６９  ＲＯＭ
７０  ＲＡＭ
７１  変倍部
１０１  入力データセレクタ
１０２  画像合成部
１０３  １次圧縮／伸長
１０４  出力データセレクタ
１０５  ２次圧縮／伸長
１０６  １次記憶装置
１０７  ２次記憶装置
【図１】
2004241856.tif 000003
【図２】
2004241856.tif 000004
【図３】
2004241856.tif 000005
【図４】
2004241856.tif 000006
【図５】
2004241856.tif 000007
【図６】
2004241856.tif 000008
【図７】
2004241856.tif 000009
【図８】
2004241856.tif 000010
【図９】
2004241856.tif 000011
【図１０】
2004241856.tif 000012
【図１１】
2004241856.tif 000013
【図１２】
2004241856.tif 000014
【図１３】
2004241856.tif 000015
【図１４】
2004241856.tif 000016
【図１５】
2004241856.tif 000017
【図１６】
2004241856.tif 000018
【図１７】
2004241856.tif 000019
【図１８】
2004241856.tif 000020
【図１９】
2004241856.tif 000021
【図２０】
2004241856.tif 000022
【図２１】
2004241856.tif 000023
【図２２】
2004241856.tif 000024
【図２３】
2004241856.tif 000025
【図２４】
2004241856.tif 000026
【図２５】
2004241856.tif 000027
【図２６】
2004241856.tif 000028
【図２７】
2004241856.tif 000029